【手続補正書】
【提出日】平成25年2月1日(2013.2.1)
【手続補正１】
【補正対象書類名】特許請求の範囲
【補正対象項目名】全文
【補正方法】変更
【補正の内容】
【特許請求の範囲】
【請求項１】
ストレージアレイコントローラーにおける方法であって、
ストレージアレイから第１のホストコンピュータに第１の論理ユニット番号（ＬＵＮ）を公開するステップと、
前記第１のＬＵＮの複数のパーティションのうちの第１のパーティションに関するピボット要求を、前記第１のホストコンピュータから受信するステップであって、前記第１のパーティションが、前記複数のパーティションに記憶された複数のデータセットのうちの１つのデータセットを記憶する、受信するステップと、
前記第１のＬＵＮ中の前記第１のパーティションのサイズを判定するステップと、
第２のパーティションについてのロケーションおよびサイズを示すパーティションテーブルを生成するステップであって、前記第２のパーティションの前記サイズが、前記判定された第１のパーティションサイズよりも大きいかまたはそれに等しい（≧）、生成するステップと、
前記第２のＬＵＮについてのシグナチャと、前記パーティションテーブルと、前記第２のパーティションとに適応するように構成されたサイズを有するように、前記ストレージアレイの第２のＬＵＮを生成するステップと、
前記シグナチャと前記パーティションテーブルとを前記第２のＬＵＮに記憶するステップと、
前記第２のパーティションについての前記パーティションテーブルに示された前記ロケーションにおいて前記第１のＬＵＮから前記第２のＬＵＮに前記第１のパーティションをコピーするステップと、
前記第２のＬＵＮを第２のホストコンピュータにマップするステップと
を含む方法。
【請求項２】
前記データセットが、仮想マシンのための仮想ハードドライブであることを特徴とする請求項１に記載の方法。
【請求項３】
前記マップするステップが、
前記第２のホストコンピュータが前記第２のＬＵＮをマウントすることを可能にするステップと、
前記第２のホストコンピュータが、前記仮想マシンを実行し、前記仮想マシンのためのストレージとして前記仮想ハードドライブにアクセスすることを可能にするステップと
を含むことを特徴とする請求項２に記載の方法。
【請求項４】
前記第１のＬＵＮ中の前記第１のパーティションのサイズを判定する前記ステップが、
前記パーティションの前記第１のＬＵＮにおける開始論理ブロックアドレス（ＬＢＡ）と終了ＬＢＡとを判定するステップ
を含むことを特徴とする請求項１に記載の方法。
【請求項５】
前記コピーするステップが、
前記第１のパーティションのコピーオンライトスナップショットまたはクローンを行って、前記第１のＬＵＮから前記第２のＬＵＮに前記第１のパーティションをコピーするステップ
を含むことを特徴とする請求項１に記載の方法。
【請求項６】
前記第２のホストコンピュータから、前記第２のＬＵＮを使用中止する要求を受信するステップと、
前記第２のパーティションのサイズを判定するステップと、
前記第２のパーティションのコピーを前記第１のＬＵＮに記憶するステップと、
前記第２のパーティションの前記コピーが記憶されている前記第１のＬＵＮのストレージ領域に対応するパーティションを含めるために、前記第１のＬＵＮのパーティションテーブルを更新するステップと
をさらに含むことを特徴とする請求項１に記載の方法。
【請求項７】
前記第２のパーティションのコピーを前記第１のＬＵＮに記憶する前記ステップが、
前記第２のパーティションの前記判定されたサイズが、前記第１のＬＵＮ中の前記第１のパーティションのサイズを超えない場合、前記第２のパーティションの前記コピーを前記第１のＬＵＮの前記第１のパーティションに記憶するステップ
を含むことを特徴とする請求項６に記載の方法。
【請求項８】
前記第２のパーティションのコピーを前記第１のＬＵＮに記憶する前記ステップが、
前記第２のパーティションの前記判定されたサイズが前記第１のＬＵＮ中の前記第１のパーティションの前記サイズを超える場合、
ストレージ領域を前記第１のＬＵＮに追加することによって、前記第１のＬＵＮのサイズを増大させるステップと、
前記第２のパーティションの前記コピーを前記第１のＬＵＮの前記追加されたストレージ領域に記憶するステップと
をさらに含むことを特徴とする請求項７に記載の方法。
【請求項９】
第１のホストコンピュータにおける方法であって、
ストレージアレイによって前記第１のホストコンピュータに公開される第１の論理ユニット番号（ＬＵＮ）の指示を受信するステップと、
シグナチャとパーティションテーブルとを前記第１のＬＵＮに記憶するステップと、
前記第１のＬＵＮが複数のパーティションに区分するステップと、
前記複数のパーティションに複数のデータセットを記憶するステップと、
前記複数のデータセットのうちの１つのデータセットを記憶する前記複数のパーティションのうちの１つのパーティションへのアクセスを閉じるステップと、
前記データセットを記憶する前記パーティションに関するピボット要求を、前記ストレージアレイに送信するステップであって、前記ストレージアレイは、前記ピボット要求に応答して第２のＬＵＮに前記パーティションをコピーし第２のホストコンピュータに前記第２のＬＵＮをマップするように構成されている、ステップと
を含む方法。
【請求項１０】
前記データセットが、仮想マシンのための仮想ハードドライブであることを特徴とする請求項９に記載の方法。
【請求項１１】
前記第２のホストコンピュータが、前記第２のＬＵＮをマウントし、前記仮想マシンを実行し、前記仮想マシンのためのストレージとして前記仮想ハードドライブにアクセスすることを可能にされることを特徴とする請求項１０に記載の方法。
【請求項１２】
前記送信するステップが、前記ストレージアレイに送信する前記パーティションの前記第１のＬＵＮにおける開始論理ブロックアドレス（ＬＢＡ）と終了ＬＢＡとを送信することを含むことを特徴とする請求項９に記載の方法。
【請求項１３】
ストレージアレイコントローラーにおける方法であって、
ストレージアレイの第１の論理ユニット番号（ＬＵＮ）を第１のホストコンピュータに公開し、第２のＬＵＮを第２のホストコンピュータに公開するステップであって、前記第１のＬＵＮは複数のパーティションを含み、前記第２のＬＵＮはデータセットを記憶する１つのパーティションを含む、ステップと、
前記第２のホストコンピュータから、前記第２のＬＵＮを使用中止する要求を受信するステップと、
前記第２のＬＵＮ中の前記パーティションのサイズを判定するステップと、
前記データセットのコピーを前記第１のＬＵＮに記憶するステップと、
前記データセットの前記コピーが記憶されている前記第１のＬＵＮのストレージ領域に対応するパーティションを含めるために、前記第１のＬＵＮのパーティションテーブルを更新するステップと
を含む方法。
【請求項１４】
前記データセットのコピーを前記第１のＬＵＮに記憶する前記ステップが、
前記第２のＬＵＮ中の前記パーティションの前記判定されたサイズが前記第１のＬＵＮ中の前記第１のパーティションのサイズを超えない場合、前記データセットの前記コピーを、前記データセットを以前に記憶した前記第１のＬＵＮの第１のストレージ領域に記憶するステップを含むことを特徴とする請求項１３に記載の方法。
【請求項１５】
前記データセットのコピーを前記第１のＬＵＮに記憶する前記ステップが、
前記第２のＬＵＮ中の前記パーティションの前記判定されたサイズが前記第１のＬＵＮ中の前記第１のパーティションの前記サイズを超える場合、
第２のストレージ領域を前記第１のＬＵＮに追加することによって、前記第１のＬＵＮのサイズを増大させるステップと、
前記データセットの前記コピーを前記第１のＬＵＮの前記第２のストレージ領域に記憶するステップと
をさらに含むことを特徴とする請求項１４に記載の方法。
【請求項１６】
前記データセットが、仮想マシンのための仮想ハードドライブであることを特徴とする請求項１３に記載の方法。
【請求項１７】
前記第２のＬＵＮ中の前記パーティションのサイズを判定する前記ステップが、
前記パーティションの前記第２のＬＵＮにおける開始論理ブロックアドレス（ＬＢＡ）と終了ＬＢＡとを判定するステップ
を含むことを特徴とする請求項１３に記載の方法。
【請求項１８】
前記データセットのコピーを前記第１のＬＵＮに記憶する前記ステップが、
前記第２のＬＵＮの前記パーティションのコピーオンライトスナップショットまたはクローンを行って、前記第１のＬＵＮから前記第２のＬＵＮに前記パーティションをコピーするステップを含むことを特徴とする請求項１３に記載の方法。